(57)【要約】【課題】被乾燥物の投入と取り出しを一端側において行う乾燥機の乾燥時間の短縮を計る。【解決手段】ヒータ９を通過し加熱された空気はダクト８ｃで増速されてドラム１の下部に入り矢印ニの流れとなり、更に矢印ホのように上昇流となる。落下してくる被乾燥物に対して下方から吹き上げ、被乾燥物を加熱乾燥して温度低下し湿度上昇した空気はドラム１の上方の多孔１ａから上部空間１６ａに出て空気出口４ｅからダクト１１によりファン１２に導かれ排出される。【選択図】　　　図５
2004113269.tif 000002
【特許請求の範囲】
【請求項１】
回転駆動されるようにフレームに支持された多孔板製横円筒形で開放された開口を両端に有するドラムと、
ドラムを内蔵しドラム内下部へ空気を送り込む空気入口とドラムへの被乾燥物の投入と取り出しを行う開口を設けられたフレームと、
フレームの開口を開閉する前扉を有する扉装置と、
フレームが有する空気入口に加熱空気出口が通ずるように設けられ取り入れる外気を加熱するヒータと、
ヒータを通過し加熱された空気をドラムの一端の下部へ導く入口側空気通路と、
ドラムの多孔板を通じて上方へ流れる空気をフレーム上部からファンへ導く出口側空気通路と、
前記入口側空気通路、ドラム、フレーム、出口側空気通路の順に空気流を生ぜしめるファンと、
を有し、ドラムへ被乾燥物の落下方向に対向して加熱された空気流を生じさせ被乾燥物を乾燥することを特徴とする乾燥機。
【請求項２】
入口側空気通路がヒータを通過しドラムの空気入口へ流れる前に加熱空気に絞りを与えることを特徴とする請求項１に記載の乾燥機。
【請求項３】
フレームに回転自在に支持された複数のローラと、
ドラム外周にドラムと同心に設けられ夫々複数のローラに支持される一対の軌道輪であって、軸方向に支持されるローラ側面に近接するつばを片側に有し、一対の軌道輪についてはつばを左右対称に有する軌道輪を有することを特徴とする請求項１又は２に記載の乾燥機。
【請求項４】
前扉は上げ下げのスライドドアであって、
フレームに設けられた上下方向のガイドレールと、
ガイドレールに上下方向に移動自在に係合し被乾燥物の投入と取り出しを行うフレームの開口を閉じた位置と、閉じた位置から移動して前記開口を開いた位置と、をとる前扉と、
前扉の両側に夫々係止されて上方へ向って張設され、上方でロープ車に、巻掛けられて下方に張設され下端に夫々おもりが係止されたロープを有するバランスウエート装置と、
前扉の駆動装置と、
を有するスライドドアを有することを特徴とする請求項１又は２もしくは３に記載の乾燥機。
【請求項５】
回転駆動されるようにフレームに支持された多孔板製横円筒形のドラムと、
ドラムを回転自在に支持するフレームと、
ドラムの開口を開閉するためにフレームに設けられた扉と、
ドラムへ送り込まれる外気をドラムへ送り込む前に加熱するヒータと、
ドラムの多孔を通じて空気が流れる空気通路を構成する部材と、
空気通路に空気流を生ぜしめるファンと、
フレームに回転自在に支持された複数のローラと、
ドラム外周にドラムと同心に設けられ夫々複数のローラに支持される一対の軌道輪であって、軸方向に支持されるローラ側面に近接するつばを片側に有し、一対の軌道輪についてはつばを左右対称に有す軌道輪と、を有することを特徴とする乾燥機。
【請求項６】
回転駆動されるようにフレームに支持された多孔板製横円筒形のドラムと、
ドラムを回転自在に支持するフレームと、
ドラムの開口を開閉するためにフレームに設けられた扉と、
ドラムへ送り込まれる外気をドラムへ送り込む前に加熱するヒータと、
ドラムの多孔を通じて空気が流れる空気通路を構成する部材と、
空気通路に空気流を生ぜしめるファンと、
フレームに設けられた上下方向のガイドレールと、
ガイドレールに上下方向に移動自在に係合し被乾燥物の投入と取り出しを行うフレームの開口を閉じた位置と、閉じた位置から下方へ移動して前記開口を開いた位置と、をとる前扉と、
前扉の両側に夫々係止されて上方へ向って張設され、上方でロープ車に、巻掛けられて下方に張設され下端に夫々おもりが結合されたロープを有するバランスウエート装置と、
前扉の駆動装置と、
を有することを特徴とする乾燥機。
【発明の詳細な説明】
【０００１】
【発明の属する技術分野】
本発明は、タオル、衣類等の乾燥機に関する。
【０００２】
【従来の技術】
従来、多孔板製の横形円筒形ドラムを回転駆動するように支持し、ドラムをフレームで覆って、ドラムの一方の開口と大気側を連通する空気通路にヒータを設け、前記空気通路に排湿ファンを設けた乾燥機が多用されている。また、ドラムの被乾燥物の投入側とは反対側を空気入口としてドラム内へ熱風を吹き込み、内胴からフレーム内へ抜けた排気をフレームの空気出口から空気通路を通じて排湿ファンで外部へ排気するものも多い。またドラムを内胴、外胴の二重胴として内胴を回転する多孔板製とし、内胴外胴両端とは密閉する。そして外胴をフレームに固定支持する。空気通路はヒータ→外胴上部開口→外胴内胴間→多孔を通じて内胴内→被乾燥物間→内胴の多孔を通じて外胴内→外胴下部出口→排湿ファンとされている空気通路を有するものも多い。この形式のものは外胴上部を加熱空気入口とし、外胴下部を該空気の出口としている。
【０００３】
【特許技術文献】
（１）特願２００２−２１３３３６
（２）特開平９−２０６５００号公報
（３）特開平８−２４０３８５号公報。
【０００４】
【発明が解決しようとする課題】
衣類等の投入側と反対側中央からドラム内へ加熱空気を送り込む乾燥機では被乾燥物の乾燥に預からない加熱空気（熱風）のまま内胴の多孔板から外へ逃げる空気が多く効率がよくない。また、外胴上部の空気入口から加熱空気を給気し、内胴の内外にわたって多孔板を通じて給排気させその後、外胴下部の空気出口から排気するものは空気抵抗が多く、また乾燥するのに有効に加熱空気が用いられないで排出される。
【０００５】
本発明は前扉側を被乾燥物投入取出口とする乾燥機において、乾燥時間が短くなる乾燥機を提供することを目的とする。
【０００６】
本発明は簡易なドラム支持方法を有する乾燥機を提供することを目的とする。
【０００７】
本発明は被乾燥機の投入と取り出しを行うためにフレームに設けた扉を軽い力で開閉可能な扉装置を有する乾燥機を提供することを目的とする。
【０００８】
【課題を解決するための手段】
本出願に係る第１の発明は回転駆動されるようにフレームに支持された多孔板製横円筒形で開放された開口を両端に有するドラムと、ドラムを内蔵しドラム内下部へ空気を送り込む空気入口とドラムへの被乾燥物の投入と取り出しを行う開口を設けられたフレームと、フレームの開口を開閉する前扉を有する扉装置と、フレームが有する空気入口に加熱空気出口が通ずるように設けられ取り入れる外気を加熱するヒータと、ヒータを通過し加熱された空気をドラムの一端の下部へ導く入口側空気通路と、ドラムの多孔板を通じて上方へ流れる空気をフレーム上部からファンへ導く出口側空気通路と、前記入口側空気通路、ドラム、フレーム、出口側空気通路の順に空気流を生ぜしめるファンと、を有し、ドラムへ被乾燥物の落下方向に対向して加熱された空気流を生じさせ被乾燥物を乾燥することを特徴とする乾燥機である。
【０００９】
本出願に係る第２の発明は入口側空気通路がヒータを通過しドラムの空気入口へ流れる前に加熱空気に絞りを与えることを特徴とする第１の発明に記載の乾燥機である。
【００１０】
本出願に係る第３の発明はフレームに回転自在に支持された複数のローラと、ドラム外周にドラムと同心に設けられ夫々複数のローラに支持される一対の軌道輪であって、軸方向に支持されるローラ側面に近接するつばを片側に有し、一対の軌道輪についてはつばを左右対称に有する軌道輪を有することを特徴とする第１又は第２の発明に記載の乾燥機である。
【００１１】
本出願に係る第４の発明は前扉は上げ下げのスライドドアであって、フレームに設けられた上下方向のガイドレールと、ガイドレールに上下方向に移動自在に係合し被乾燥物の投入と取り出しを行うフレームの開口を閉じた位置と、閉じた位置から移動して前記開口を開いた位置と、をとる前扉と、前扉の両側に夫々係止されて上方へ向って張設され、上方でロープ車に、巻掛けられて下方に張設され下端に夫々おもりが係止されたロープを有するバランスウエート装置と、前扉の駆動装置と、を有するスライドドアを有することを特徴とする第１又は第２もしくは第３の発明はに記載の乾燥機である。
【００１２】
本出願に係る第５の発明は回転駆動されるようにフレームに支持された多孔板製横円筒形のドラムと、ドラムを回転自在に支持するフレームと、ドラムの開口を開閉するためにフレームに設けられた扉と、ドラムへ送り込まれる外気をドラムへ送り込む前に加熱するヒータと、ドラムの多孔を通じて空気が流れる空気通路を構成する部材と、空気通路に空気流を生ぜしめるファンと、フレームに回転自在に支持された複数のローラと、ドラム外周にドラムと同心に設けられ夫々複数のローラに支持される一対の軌道輪であって、軸方向に支持されるローラ側面に近接するつばを片側に有し、一対の軌道輪についてはつばを左右対称に有す軌道輪と、を有することを特徴とする乾燥機である。
【００１３】
本出願に係る第６の発明は回転駆動されるようにフレームに支持された多孔板製横円筒形のドラムと、ドラムを回転自在に支持するフレームと、ドラムの開口を開閉するためにフレームに設けられた扉と、ドラムへ送り込まれる外気をドラムへ送り込む前に加熱するヒータと、ドラムの多孔を通じて空気が流れる空気通路を構成する部材と、空気通路に空気流を生ぜしめるファンと、フレームに設けられた上下方向のガイドレールと、ガイドレールに上下方向に移動自在に係合し被乾燥物の投入と取り出しを行うフレームの開口を閉じた位置と、閉じた位置から下方へ移動して前記開口を開いた位置と、をとる前扉と、前扉の両側に夫々係止されて上方へ向って張設され、上方でロープ車に、巻掛けられて下方に張設され下端に夫々おもりが結合されたロープを有するバランスウエート装置と、前扉の駆動装置と、を有することを特徴とする乾燥機である。
【００１４】
【発明の実施の形態】
以下、本発明の実施の形態を図面に従って説明する。図１〜図７は実施の形態を示す。図１は正面図、図２は側面図、図３は背面図、図４は正面断面図、図５は側断面図、図６は軌道輪の他の実施の形態を示す断面図、図７はおもりの平面図である。なお、図２はフレームの側板を外した状態を示してある。図４、図５は図１の一部寸法を誇張して示した断面図である。
【００１５】
図４、図５に示すようにドラム１は多孔板、例えばステンレス鋼板製で横形の円筒形の本体を有し、内周側軸方向に図示されない桟が周方向を等配して設けられている。ドラム１の両端部の外周にはドラム本体と同心で輪状の軌道輪１ｂが設けられている。このようにドラム１は本体と桟と軌道輪を有する一体物である。
【００１６】
一対の軌道輪１ｂの下半円側を４個の外周がゴム製のローラ２により支持している。ローラ２はフレーム４に軸受３を介して回転自在に支持されている。図５に示すように軌道輪１ｂはローラ２が接する軌道面１ｃよりも外周側につば１ｄを有する。つば１ｄはローラ２の１側面に近接して片側に備えている。一対の軌道輪１ｂについてはつば１ｄを左右対称に有している。従来の軌道輪１ｂを補助ローラで挟持してドラム１の軸方向移動を止めている方法では構成が複雑となるのが簡素化される。また、補助ローラの分だけ乾燥機の前後方向の寸法が小さくなる。つば１ｄを備えるため、軌道輪１ｂ付のドラム１を取り扱う際にローラ２と接する軌道面１ｃを損傷するおそれが少ない。即ち、つば１ｄがないと軌道輪付のドラム１をそのまま床上を転動できないが、つば１ｄがあると転動できる。そして補助ローラを設けるよりもコストが安い。左右のローラ２はローラ軸２ａにより連結されている。ローラ２の内少なくとも同軸の１対は駆動装置のモータ１９に動力伝達部材例えばチェン伝動装置２１及びローラ軸２ａを介して連結されている。モータ１９は本体フレーム４に固定されている。
【００１７】
ここで、モータ１９は例えばインバータ制御により速度制御されるようになっている。また、正逆転可能であり、正転、逆転時間を設定により変更可能であり、正転、逆転の時間を任意に設定する制御及び正転、逆転の回転角を内胴１の回転角にして３６０度以内としてドラム１にスイング運動をさせることも可能な制御が図示されない制御装置により行われる。
【００１８】
ドラム１の正面から見て左右は小さい隙間をおいてフレーム４に近接している。図１、図５に示すようにドラム１の前端側には前扉装置５が設けられている。前扉装置５は衣類等の被乾燥物を投入と取り出しを行うためのフレーム４の開口４ａを開閉する開閉部材である。開口４ａとドラム１の一方端の開口とは対応して一致した位置にある。開口４ａはフレーム４を開口して設けてある。
【００１９】
ドラム１への被乾燥物の投入と取り出しを行う開口４ａはほぼ方形である。このドラム１の軸直角断面の外形状内に方形の開口４ａがドラム端部に軸方向に近接して設けてある。この開口４ａはフレーム４の正面手前の板面が垂直な方向の前側板４ｃに設けてある。それ故開口４ａは外部とドラム１間を通ずるものである。
【００２０】
前扉装置５は上げ下げのスライドドアである。図１に示すように前扉５ａは開口４ａの両側の縁に設けた上下方向のガイドレール５ｂに係合して上下動自在に案内されるようになっている。ガイドレール５ｂに係合する前扉５ａのガイド５ａ−１は上方へのびて前扉５ａよりも上方へ突出している。前扉５ａの両側にピストンロッドを固定された流体圧シリンダ５ｃの上端はフレーム４に取り付けられている。図１で閉じている前扉５ａはシリンダ５ｃのピストンロッドの延出によりガイドレール５ｂに案内されて下方に移動し投入口４ａを開くようになっている。
【００２１】
前扉５ａは開口４ａを閉じた位置と、閉じた位置から移動して開口４ａを開いた位置をとる。この逆の動作もする。
【００２２】
前扉５ａの両側に夫々係止されて上方へ向って張設され、上方でロープ車６に巻掛けられて下方に張設され下端に夫々おもり７ａを結合したロープ６ａを有するバランスウエート装置７が設けてある。左右のおもり７ａを併せた重量と前扉５ａの重量はほぼ等しい。ここで、おもり７ａは図７に示すように上下方向に条溝７ａ−１を有する。この条溝７ａ−１はおもり７ａが上昇した際に流体圧シリンダ５ｃとの干渉を避けるためのものである。おもり７ａは鉄製である。
【００２３】
ロープ車６はフレーム４の前側板４ｃに回転自在に支持されている。
【００２４】
上記構成により前扉４ａを駆動する力はガイドレール５ｂと前扉５ａ間の摩擦抵抗が主要な抵抗であるので軽く動き、流体圧シリンダ５ｃは小さいシリンダ面積のものでよい。
【００２５】
この実施の形態では前扉装置５の駆動装置である流体圧シリンダ５ｃは小さなものである。前扉５ａを軽く駆動できるため流体圧シリンダ５ｃに代えてロープ車６を回転駆動する駆動装置例えばロープ車６の軸に減速機付モータを連結するようにしてもよい。ロープ車６を駆動する場合は、ロープ６ａをロープ車６に複数回捲回する。また、左右のロープ車６にロープをたすき掛けに巻掛けて左右のロープ車６の同期をとる。
【００２６】
図２、図３に示すようにフレーム４の中央下部にはヒータ９が取り付けられている。ヒータ９には方形の空気入口８ａが設けてある。ヒータ９は熱媒体がスチームの熱交換器等である。このヒータ９は空気入口８ａから流入する外気を加熱して湿度を低下させた加熱空気として後述のファンの吸込力で乾燥した空気流の熱風とするための手段である。
【００２７】
図５に示すようにフレーム４の下部は入口側の空気通路８を構成するようになっている。この空気通路８は空気入口８ａ→ヒータ９→加熱空気出口８ｂ→入口ダクト８ｃ→フレーム４の背部の下部の空気入口４ｆ→ドラム１となっている。
【００２８】
この入口側空気通路８としてはヒータ９で加熱された空気をドラム１内の一端の下部へ導くものであればよい。即ち、ヒータ９の位置は他の個所に配設してダクトでもってドラム１一端の下部へ加熱された空気を導いてもよい。ただし、実施の形態ではドラム１の一端下部の空気入口４ｆとヒータ９は水平方向のほぼ一直線上にあって、ヒータ９がドラム１に近い位置にあるためヒータ９を通過してドラム１に送り込まれる加熱空気の圧力損失及び熱損失が少ない。
【００２９】
図４に示すフレーム４の後側板４ｄに設けられた空気出口４ｅには図３に示すように排気ダクト１１が連続して設けられ、排気ダクト１１の出口は排湿ファン（以下、ファンという）１２の吸込口１２ａに連結されている。
【００３０】
ここで空気出口４ｅはフレーム４の上部の左右に設けられている。排気ダクト１１は空気出口４ｅを連通する横方向の水平ダクト１１ａの一端側から垂直方向の垂直ダクト１１ｂの上部に通じている。この垂直ダクト１１ｂの下端部はファン１２の吸込口１２ａに連通している。この垂直ダクト１１はヒータ９の傍を通っている。図３に示すようにヒータ９はフレーム４の左右の中央下部に位置する。ファン１２から吐出される排気は機外に排出される。
【００３１】
上記において出口空気通路１６はドラム１内部→ドラム１に設けた多孔１ａ→ドラム１とフレーム４との間の上部空間１６ａ→空気出口４ｅ→排気ダクト１１→ファン１２となっている。
【００３２】
ドラム本体は多孔板であって多孔板の多孔１ａは被乾燥物の除湿のために作用して湿度上昇し温度低下した空気がドラム１の内から外に出て上部空間１６ａへ入るようになっている。
【００３３】
上記構成の作用を説明する。作用は、被乾燥物投入工程、乾燥工程、冷却工程、取出工程の順に行われる。
【００３４】
（被乾燥物投入工程）
流体圧シリンダ５ｃのピストンロッドを延出して前扉５ａを開き、洗濯後の布、衣類等の被乾燥物を開口４ａからドラム１内へ投入する。該シリンダ５ｃのピストンロッドを引き込めて前扉５ａを閉じる。前扉５ａの開閉に際してはロープ車６に巻掛けたロープ６ａの一端に前扉５ａ、他端におもり７ａが結合されているので前扉５ａの下降につれておもり７ａは上昇し、前扉５ａの上昇につれておもり７ａは下降する。従来例のように前扉５ａのみを担持して引き上げる必要がないので流体圧シリンダ５ａは小出力のもので足りる。
【００３５】
（乾燥工程）
ドラム１内に被乾燥物があることを図示されないセンサが検知し、且つ、前扉５ａを閉めたことを検知した信号が制御装置に入力される、又は、始動スイッチ（図示されない）を入れるとモータ１９、ファン１２が駆動され、乾燥工程が始る。モータ１９はチェン伝動装置２１を介してローラ２を駆動する。
【００３６】
ドラム１はローラ２に支持された状態でローラ２により回転させられる。ローラ２の側面に軌道輪１ｃのつば１ｄが近接しているのでドラム１は前後方向への動きを規制される。これにより図示されない桟の働きもあって上方へ移動するドラム１の内周面に保たれた被乾燥物は持ち上げられ、ドラム１の上部において斜め上方へ付勢された状態でドラム１から放れ、落下し、再び持ち上げられることを繰り返す。ここで、モータ１９を制御することにより、ドラム１の運動を制御する。即ち、ドラム１を正転又は逆転させる。また、正転と逆転を交互にくり返す。そして、正転及び逆転する時間は任意に設定できる。また、ドラム１の回転速度を変更する。正転と逆転を交互にくり返す等のドラム１の運動の態様をとることにより被乾燥物の種類、量に対応する。同時にファン１２の駆動により入口側空気通路８、ドラム１内、出口側空気通路１６を通じて空気が流れる。空気入口８ａからファン１２まではファン１２による吸込流で負圧であるから、熱風が機外に洩れることはない。
【００３７】
次に空気流について詳細に説明する。図５において、外気は空気入口８ａから矢印イのように吸込まれる。次に矢印ロに示すようにヒータ９を空気入口８ａから吸込んだ空気が通過する際に、この空気が加熱乾燥され、加熱空気出口８ｂへ出る。加熱空気出口８ｂへ出た加熱空気は進行方向に流路断面が次第に縮小するダクト（コンバージェトダクト）８ｃをこのダクト８ｃの出口へ向かって矢印ハのように進む。このダクト８ｃの出口はフレーム４の後側板４ｄの中央の下方に設けた空気入口４ｆと一致しているので、ダクト８ｃ中を流れる加熱空気は直ちにドラム１内の下方へ流れ、矢印ニの流れとなる。空気入口４ｆは図４に示すように横長で左右の幅はヒータ９とほぼ等しく、ヒータ９と同様フレーム４の中央にある。従って、図４に示すように空気入口４ｆの左右方向の何れの位置においても空気入口４ｆを通じてドラム１内ヘ流れる風量はほぼ等しい。フレーム４は空気出口４ｅを除いて密閉状態である。従って、矢印ニの流れは上方へ矢印ホのように流れる。ホのように上昇する熱風は落下する被乾燥物と遭遇して被乾燥物を除湿すると共に加熱し、被乾燥物中をとおってドラム１の上半部で拡散して多孔１ａから矢印ヘのようにドラム１とフレーム４の上部間である出口空間１６ａに出る。ここで出口空間１６ａに出た温度低下し湿度の上昇した空気は矢印トのように空気出口４ｅからダクト１１へ出てダクト１１を通じてファン１２に吸込まれ、ファン１２の吐出口から排出される。
【００３８】
ドラム１への加熱空気の流入通路はドラム１の後端の下部にあるから、被乾燥物の下側から加熱空気を吹き上げるので被乾燥物の曝気される面積が大きい。そして、被乾燥物は吹き上げる空気流で一時逆に持ち上げられたり、落下速度を鈍らせたりするので落下時間が長くなり、加熱空気の作用時間が長くなるから、又、被乾燥物は、吹き上げる空気流で被乾燥物がよくほぐされるから、被乾燥物は効率よく乾燥する。ドラム外周上部から多孔板をとおる従来例のような、多孔を通過する際の絞り抵抗、多孔が被乾燥物で一部閉塞されることによる通過面積の減少等によりドラム外側から内胴内側へ通過する損失がなくなる。
【００３９】
（冷却工程）
被乾燥物の乾燥が終わると、被乾燥物の冷却工程が始る。冷却工程は乾燥工程の状態のままヒータ９を消勢することなく行われる。なお、ここで、ドラム１の正又は逆回転、正逆回転、回転速度、正転及び逆転の時間設定は乾燥工程と同様に行うことができる。このとき、前扉５ａを半開する。これにより、空気入口８ａより吸い込まれる空気流は生じない。外気は開口４ａからドラム１内へ吸込まれドラム１内に入り被乾燥物に冷風を当てて被乾燥物を冷却する。被乾燥物に作用して温度上昇した空気はドラム１の多孔を通ってドラム１とフレーム４間の上部空間１６ａに出てその後空気出口４ｅから排気のダクト１１をとおりファン１２により機外へ排出される。
【００４０】
（取出工程）
冷却工程が終了するとモータ１９を停止し、シリンダ５ｃのピストンロッドを押し下げて前扉５ａを開く。
【００４１】
ドラム１内から被乾燥物を取り出す。代わりの被乾燥物をドラム１に投入して、シリンダ５ｃのピストンロッドを引き込んで前扉５ａを閉じる。
【００４２】
ここで、同様な仕様でドラム１の後方中央部から絞りなしで加熱空気をドラム内に流入させる従来例の乾燥機と、本発明の実施の形態の乾燥機を比較してみる。
【００４３】
実施例によれば被乾燥物の１回の処理量が５０ｋｇの乾燥機では従来例では被乾燥物の乾燥時間は３６分であったが本発明の実施例では１７分と著しく短縮された。ここで、従来例というのは内胴、外胴を同心に備え、外胴上部の開口から送り込んだ加熱空気を内外胴間から内胴の多孔を通じて内胴内へ送り込んで被乾燥物に作用させる。そして、被乾燥物に作用した後の空気が内胴の多孔から内外胴間に移動し、外胴下部の開口から排出される乾燥機をいう。なお、本発明の実施例のドラム１の空気入口４ｆにおける風速は１３〜１４ｍ／ｓである。
【００４４】
図６は軌道輪１ｂの他の実施の形態である。この実施の形態ではつば１ｄは一対のローラ２の対向する側面側に近接して設けてある。
【００４５】
【発明の効果】
（１）本発明によれば乾燥用の加熱空気（熱風）がドラムの一端側の下部から高速度の吸込流となって上昇するので被乾燥物への加熱空気の作用時間が長く、且つ加熱空気が落下する被乾燥物をよくほぐすので乾燥時間が早い。
（２）上記において高速度の吹込流は絞りを与えることによるので容易に高速の吹込流を生ぜしめることができる。
（３）前扉装置はバランスウエート装置を有するので開閉が軽い力で行われ、且つ省エネルギーとなる。
（４）軌道輪につばを設けてドラムの軸方向の移動を規制したので、ドラムの軸方向への移動を規制する補助ローラが不要となり、構成が簡単でコストが安い。そして乾燥機の前後方向の寸法を小さくできる。また、ドラム単体での取扱が容易となる。
【図面の簡単な説明】
図面は何れも本発明の実施の形態を示し、
【図１】乾燥機の正面図である。
【図２】図１の側面図である。
【図３】図１の背面図である。
【図４】乾燥機の正面断面図である。
【図５】乾燥機の側断面図である。
【図６】軌道輪の他の実施の形態を示す縦断面図である。
【図７】おもりの平面図である。
【符号の説明】
１…ドラム　１ａ…多孔　１ｂ…軌道輪　１ｃ…軌道面　１ｄ…つば
２…ローラ　２ａ…ローラ軸
３…軸受
４…フレーム　４ａ…開口　４ｃ…前側板　４ｄ…後側板　４ｅ…空気出口　４ｆ…空気入口
５…前扉装置　５ａ…前扉　５ａ−１…ガイド　５ｂ…ガイドレール　５ｃ…流体圧シリンダ
６…ロープ車　６ａ…ロープ
７…バランスウエート装置　７ａ…おもり　７ａ−１…条溝　７ｃ…流体圧シリンダ
８…入口側空気通路　８ａ…空気入口　８ｂ…加熱空気出口　８ｃ…入口ダクト
９…ヒータ
１０…入口ダクト
１１…排気ダクト　１１ａ…水平ダクト　１１ｂ…垂直ダクト
１２…排湿ファン　１２ａ…吸込口　１２ｂ…吐出口
１６…出口側空気通路　１６ａ…上部空間
１９…モータ
２１…チェン伝動装置
【図１】
2004113269.tif 000003
【図２】
2004113269.tif 000004
【図３】
2004113269.tif 000005
【図４】
2004113269.tif 000006
【図５】
2004113269.tif 000007
【図６】
2004113269.tif 000008
【図７】
2004113269.tif 000009